(57)【要約】【課題】大型のパウチタイプの容器に取り付けて使用する紙製取っ手の提供。【解決手段】プラスチックフィルムの重ね合わせにより形成されるパウチタイプの容器のヒートシール部分に穿設された取っ手孔に取り付けて使用する紙製取っ手であり、左右二つの側面板（１１、１２）が隣接して配置され、該隣接して配置された二つの側面板の中央上部端縁はスリット（ａ）により分断され、該スリットより下は、下端近傍まで二本の折り曲げ線（ｂ、ｃ）により正面板（１３）が滴状に区画形成され、一方の側面板（１１）の正面板が区画形成されていない方の端縁は折り曲げ線（ｄ）を介して折り重ね板（１４）が連設され、折り重ね板の端縁には係止片（１５）が突出して形成され、もう一方の側面板（１２）には、係止片を係止させる切り込み線（ｅ）が穿設され、側面板下端縁で折り重ね板が連設された側面板近傍に外方に突出する出っ張り部（１６）が形成されている。【選択図】図１
2006335423.tif 000002
【特許請求の範囲】
【請求項１】
プラスチックフィルムの重ね合わせによって形成されるパウチタイプの容器のヒートシール部分に穿設された取っ手孔に取り付けて使用する紙製取っ手であって、
左右二つの側面板が隣接して配置され、該隣接して配置された二つの側面板の中央上部端縁はスリットにより分断され、該スリットより下は、下端近傍まで二本の折り曲げ線により正面板が滴状に区画形成され、
前記一方の側面板の正面板が区画形成されていない方の端縁は折り曲げ線を介して折り重ね板が連設され、折り重ね板の端縁には係止片が突出して形成され、
前記もう一方の側面板には、係止片を係止させる切り込み線が穿設され、該側面板下端縁で折り重ね板が連設された側面板近傍は、外方に突出する出っ張り部が形成されていることを特徴とする、紙製取っ手。
【請求項２】
前記正面板を区画形成している二本の折り曲げ線は左右対象に形成されていることを特徴とする、請求項１記載の紙製取っ手。
【請求項３】
前記正面板の略中央には、横方向の折り曲げ線が形成されていることを特徴とする、請求項１又は２記載の紙製取っ手。
【請求項４】
前記左右の側面板、折り重ね板および係止片の隅角は、円弧状にカットされていることを特徴とする、請求項１、２又は３記載の紙製取っ手。
【請求項５】
プラスチックフィルムの重ね合わせによって形成されるパウチタイプの容器のヒートシール部分に穿設された取っ手孔に取り付けて使用する紙製取っ手であって、
楔状正面板の長手方向の二辺にそれぞれ折り曲げ線を介して長靴状の側面板が踵部分を対向させて左右対象に連設され、
前記楔状正面板の上辺はコの字形状の切り欠きが形成され、
前記長靴状の側面板の踵部分から指先部分にかけて、底側に設けられた折り曲げ線とその他の部分に設けられた切断線により折り曲げ片が区画形成されていることを特徴とする、紙製取っ手。
【請求項６】
前記折り曲げ片は底側に設けられた折り曲げ線部分から上方に形成されたミシン目状の切り込み線により二分されていることを特徴とする、請求項５記載の紙製取っ手。
【請求項７】
前記二つの長靴状の側面板の隅角は、円弧状にカットされていることを特徴とする、請求項５又は６記載の紙製取っ手。
【発明の詳細な説明】
【技術分野】
【０００１】
本発明は、プラスチックフィルムの重ね合わせによって形成されるパウチタイプの容器のヒートシール部分に穿設された取っ手孔に取り付ける紙製取っ手に関するものであり、特には容量が２リットル程度の大容量のパウチタイプの容器に取り付けが可能な紙製取っ手に関する。
【背景技術】
【０００２】
従来、液体、顆粒体、粉体などを収納する容器としては、ブロー成形されたプラスチックボトルタイプの容器やプラスチックフィルムを積層した複合フィルムを重ね合わせて所要部分をヒートシールしてなるパウチタイプの容器が採用されている。そして近年では使用後の容器をごみとして廃棄する場合のごみ減容化が行い易いように、重ね合わせた複合フィルムの所要部分をヒートシールしたパウチタイプの容器が多く使用されるようになり、片手などで取り扱える範囲であれば、５００ミリリットルを超えるような内容量の容器にもパウチタイプの容器が製造されるようになっている。
【０００３】
ところで、内容量の大きいボトルタイプの容器の場合には取っ手を備えていて、多少重くてもその容器の取扱いが適正に行えるようにしてある。このことから、上述のようなパウチタイプの内容量の大きい容器にも取っ手を設けるようにすれば、容器全体の取扱いや内容物の取り出し操作が行い易くなる。
【０００４】
紙製取っ手としては、レジ袋用ホルダーや紙手提げとしての考案があるが（例えば、特許文献１、特許文献２参照）、上述の目的に合致するものとはいいがたい。
【０００５】
上記先行技術文献を示す。  
【特許文献１】実開平２−５９１４６号公報。
【特許文献２】実開昭５９−１４７０４５号公報。
【発明の開示】
【発明が解決しようとする課題】
【０００６】
本発明は、プラスチックフィルムを積層した複合フィルムを重ね合わせて所要部分をヒートシールしてなるパウチタイプの容器の取扱いに関する以上のような問題に鑑みてなされたもので、大型のパウチタイプの容器に取り付けて使用する紙製取っ手を提供することを課題とする。
【課題を解決するための手段】
【０００７】
本発明の請求項１の発明は、プラスチックフィルムの重ね合わせによって形成されるパウチタイプの容器のヒートシール部分に穿設された取っ手孔に取り付けて使用する紙製取っ手であって、左右二つの側面板が隣接して配置され、該隣接して配置された二つの側面板の中央上部端縁はスリットにより分断され、該スリットより下は、下端近傍まで二本の折り曲げ線により正面板が滴状に区画形成され、前記一方の側面板の正面板が区画形成されていない方の端縁は折り曲げ線を介して折り重ね板が連設され、折り重ね板の端縁には係止片が突出して形成され、前記もう一方の側面板には、係止片を係止させる切り込み線が穿設され、該側面板下端縁で折り重ね板が連設された側面板近傍は、外方に突出する出っ張り部が形成されていることを特徴とする、紙製取っ手である。
【０００８】
このように請求項１記載の発明によれば、左右二つの側面板が隣接して配置され、該隣接して配置された二つの側面板の中央上部端縁はスリットにより分断され、該スリットより下は、下端近傍まで二本の折り曲げ線により正面板が滴状に区画形成され、前記一方の側面板の正面板が区画形成されていない方の端縁は折り曲げ線を介して折り重ね板が連設され、折り重ね板の端縁には係止片が突出して形成され、前記もう一方の側面板には、係止片を係止させる切り込み線が穿設され、該側面板下端縁で折り重ね板が連設された側面板近傍は、外方に突出する出っ張り部が形成されているので、このブランクを折り曲げ線に沿って折り曲げ、パウチタイプの容器の取っ手孔に差し込み、スリットを容器の取っ手孔の上端に十分に差し込み、係止片を切り込み線に挿入すると、正面板が外側に湾曲した紙製取っ手が組上がる。正面板が湾曲することにより手に当たる面積が大きくなり安定感が増し、また、クッション性も出る。さらに側面板に形成された外方に突出した出っ張り部により紙製取っ手の下部を固定して、容器を持ち上げても紙製取っ手が外れることがない。
【０００９】
また、請求項２の発明は、請求項１に発明において、前記正面板を区画形成している二本の折り曲げ線は左右対象に形成されていることを特徴とする、紙製取っ手である。
【００１０】
このように請求項２記載の発明によれば、正面板を区画形成している二本の折り曲げ線は左右対象に形成されているので、安定した取っ手となる。
【００１１】
また、請求項３の発明は、請求項１又は２の発明において、前記正面板の略中央には、横方向の折り曲げ線が形成されていることを特徴とする、紙製取っ手である。
【００１２】
このように請求項３記載の発明によれば、正面板の略中央には、横方向の折り曲げ線が形成されているので、紙製取っ手に組み立てた際、正面板をより容易に湾曲した形状にすることができ、手にあたる面積を大きくすることができる。
【００１３】
また、請求項４の発明は、請求項１、２又は３の発明において、前記左右の側面板、折り重ね板および係止片の隅角は、円弧状にカットされていることを特徴とする、紙製取っ手である。
【００１４】
このように請求項４記載の発明によれば、左右の側面板、折り重ね板および係止片の隅角が円弧状にカットされているので、パウチを構成する複合フィルムにあたるなどしてもパウチが傷つくことはないし、隅角に手指が触れても痛くないし傷つくことはない。
【００１５】
また、請求項５の発明は、プラスチックフィルムの重ね合わせによって形成されるパウチタイプの容器のヒートシール部分に穿設された取っ手孔に取り付けて使用する紙製取っ手であって、楔状正面板の長手方向の二辺にそれぞれ折り曲げ線を介して長靴状の側面板が踵部分を対向させて左右対象に連設され、前記楔状正面板の上辺はコの字形状の切り欠きが形成され、前記長靴状の側面板の踵部分から指先部分にかけて、底側に設けられた折り曲げ線とその他の部分に設けられた切断線により折り曲げ片が区画形成されていることを特徴とする、紙製取っ手である。
【００１６】
このように請求項５記載の発明によれば、楔状正面板の長手方向の二辺にそれぞれ折り曲げ線を介して長靴状の側面板が踵部分を対向させて左右対象に連設され、前記楔状正面板の上辺はコの字形状の切り欠きが形成され、前記長靴状の側面板の踵部分から指先部分にかけて、底側に設けられた折り曲げ線とその他の部分に設けられた切断線により折り曲げ片が区画形成されているので、このブランクを折り曲げ線に沿って折り曲げ、楔状正面板の上辺のコの字形状の切り欠き部分をパウチタイプ容器の注出口栓部分にあてながら、楔状正面板をパウチタイプの容器の肩部分にのせて二つの側面板に形成された折り曲げ片
をおりまげつつパウチタイプ容器の取っ手孔に差し込むと、二枚の側面板と重なり合った二枚の折り曲げ片により取っ手孔は覆われて、紙製取っ手が組上がる。取っ手部分と口栓部分はパウチと取っ手が互いにロックされて外れないし、注出時に持ち上げてもクッション性があり痛くない。
【００１７】
また、請求項６の発明は、請求項５の発明において、前記折り曲げ片は底側に設けられた折り曲げ線部分から上方に形成されたミシン目状の切り込み線により二分されていることを特徴とする、紙製取っ手である。
【００１８】
このように請求項６記載の発明によれば、折り曲げ片は底側に設けられた折り曲げ線部分から上方に形成されたミシン目状の切り込み線により二分されているので、紙製取っ手をパウチの取っ手孔にセットした際、紙製取っ手の折り曲げ片部分がパウチの取っ手孔にフィットしてパウチを持ち上げた際により手が痛くならない。
【００１９】
また、請求項７の発明は、請求項５又は６の発明において、前記二つの長靴状の側面板の隅角は、円弧状にカットされていることを特徴とする、紙製取っ手である。
【００２０】
このように請求項７記載の発明によれば、二つの長靴状の側面板の隅角が円弧状にカットされているので、パウチを構成する複合フィルムにあたるなどしてもパウチが傷つくことはないし、隅角に手指が触れても痛くないし傷つくことはない。
【発明の効果】
【００２１】
このように本発明の紙製取っ手は、手で持ちやすい構造の上、用紙の使用量が少ないため極めて安価に製造できる．紙のため廃棄処理が容易で、使用面積が少ないためゴミの発生量も少ない．紙の端面が指に触らぬため、手にやさしい構造である．等の効果がある。
【発明を実施するための最良の形態】
【００２２】
本発明を一実施形態に基づいて以下に詳細に説明する。
図１は、本発明の一実施例の紙製取っ手を展開したブランクの平面説明図である。左右二つの側面板（１１、１２）が隣接して配置され、該隣接して配置された二つの側面板の中央上部はスリット（ａ）により分断され、該スリットより下は、下端近傍まで二本の折り曲げ線（ｂ、ｃ）により正面板（１３）が滴状に区画形成されている。
【００２３】
一方の側面板（１１）の正面板が区画形成されていない方の端縁は折り曲げ線（ｄ）を介して折り重ね板（１４）が連設され、折り重ね板（１４）の端縁には係止片（１５）が突出して形成されている。
【００２４】
もう一方の側面板（１２）には、係止片（１５）を係止させる切り込み線（ｅ）が穿設されている。また、側面板（１２）下端縁で折り曲げ板が連設された側面板近傍は、外方に突出する出っ張り部（１６）が形成されている。
【００２５】
このような構成からなるブランク（１０）を折り曲げ線（ｂ、ｃ、ｄ）に沿って折り曲げ、組み立てることによって形成される紙製取っ手である。
【００２６】
なお、正面板（１３）を区画形成している二本の折り曲げ線（ｂ、ｃ）は，左右対象に形成されている。このことにより見栄えの良い正面板（１３）が形成される。また、正面板（１３）の略中央に横方向の折り曲げ線（ｆ）が形成されていると、取っ手に組み立てた際、正面板がより容易に外側に湾曲し組み立て易くなる。
【００２７】
さらに、左右の側面板（１１、１２）、折り重ね板（１４）および係止片（１５）の隅
角を円弧状にカットしておくことにより、隅角が手に触れても痛くなく，手にやさしい構造となる。
【００２８】
つぎに、本発明の紙製取っ手をパウチタイプ容器の取っ手孔に取り付ける方法について図２に従って詳述する。
【００２９】
このブランク（１０）をパウチタイプ容器（５０）の取っ手孔（５１）に挿入して、スリット（ａ）を容器の取っ手孔の上端に十分に差し込む（図２（ａ）、（ｂ）参照）。
【００３０】
ブランク（１０）を折り曲げ線（ｂ、ｃ、ｄ）に沿って折り曲げ、係止片（１５）を切り込み線（ｅ）に挿入すると、正面板（１３）が外側に湾曲した紙製取っ手となり、本発明の紙製取っ手のパウチタイプ容器の取っ手孔へのセットが完了する（図２（ｃ）、（ｄ）参照）。
正面板が湾曲することにより手に当たる面積が大きくなり安定感が増し、また、クッション性も出る。さらに側面板に形成された外方に突出した出っ張り部（１６）により紙製取っ手の下部を固定して、容器を持ち上げても紙製取っ手が外れることがない。
【００３１】
さらに別の実施形態について述べる。図２は、本発明の別の実施例の紙製取っ手を展開したブランクの平面説明図である。
【００３２】
楔状正面板（３１）の長手方向の二辺にそれぞれ折り曲げ線（ｈ、ｈ）を介して長靴状の側面板（３２、３２）が踵部分（３３、３３）を対向させて左右対象に連設されている。
【００３３】
楔状正面板（３１）の上辺はコの字形状の切り欠き（３４）が形成されている。この切り欠き（３４）は、パウチタイプ容器（５０）の注出口栓（５２）にあてがって、楔状正面板（３１）を固定させるためのものである。
【００３４】
長靴状の側面板（３２、３２）の踵部分（３３、３３）から指先部分にかけて、底側に設けられた折り曲げ線（ｉ、ｉ）とその他の部分に設けられた切断線（ｊ、ｊ）により折り曲げ片（３５、３５）が区画形成されている。
【００３５】
折り曲げ片（３５、３５）を折り曲げることにより、二つの側面板（３２、３２）をパウチタイプ容器（５０）の取っ手孔（５１）近傍の側面に固定させることができる。
【００３６】
あらかじめ折り曲げ片（３５、３５）に、底側に設けられた折り曲げ線（ｉ）から上方に向けてミシン目状の切り込み線（ｋ）を形成させておくことにより、パウチタイプ容器の取っ手孔（５１）に折り曲げ片（３５、３５）を折り曲げた際、折り曲げ片がミシン目状の切り込み線（ｋ）により二分され、紙製取っ手の折り曲げ片がパウチタイプ容器の取っ手孔にフィットして、パウチを持ち上げた時、手が痛くなることがない。
【００３７】
さらに、二つの長靴状の側面板（３２、３２）の隅角を、円弧状にカットしておくことにより、手指が隅角に触れても痛くない。
【００３８】
つぎに、このような構造の紙製取っ手のブランク（３０）を、パウチタイプ容器（５０）の取っ手孔（５１）に取り付ける方法について図４に従って詳述する。
【００３９】
このブランク（３０）の二つの長靴状の側面板（３２、３２）を折り曲げ線（ｈ、ｈ）に沿って折り曲げた後、楔状正面板（３１）の上辺のコの字形状の切り欠き（３４）部分をパウチタイプ容器（５０）の注出口栓（５２）にあてながら、楔状正面板をパウチタイ
プ容器の肩部分にのせる（図４（ａ）、（ｂ）参照）。
【００４０】
二つの長靴状の側面板（３２、３２）に形成された折り曲げ片（３５、３５）を折り曲げつつパウチタイプ容器の取っ手孔（５１）に通すことにより、二つの折り曲げ片（３５、３５）は重なり合って紙製取っ手として組上がる（図４（ｃ）参照）。
【００４１】
取っ手部分と注出口栓部分はパウチと取っ手が互いにロックされて外れにくいし、内容物を注すべく容器を持ち上げても二つの側面板と折り曲げ片によりクッション性があり、手が痛くなることがない。
【図面の簡単な説明】
【００４２】
【図１】本発明の紙製取っ手のブランクの一実施例を示す、平面説明図である。
【図２】（ａ）〜（ｄ）は、パウチタイプ容器の一例と、それに図１の紙製取っ手を取り付ける工程を示す、説明図である。
【図３】本発明の紙製取っ手のブランクの別の実施例を示す、平面説明図である。
【図４】（ａ）〜（ｃ）は、図１に示すパウチタイプ容器に、図３の紙製取っ手を取り付ける工程を示す、説明図である。
【符号の説明】
【００４３】
１０‥‥ブランク
１１‥‥側面板
１２‥‥側面板
１３‥‥正面板
１４‥‥折り重ね板
１５‥‥係止片
１６‥‥出っ張り部
３０‥‥ブランク
３１‥‥楔状正面板
３２‥‥長靴状の側面板
３３‥‥踵部分
３４‥‥コの字形状の切り欠き
３５‥‥折り曲げ片
５０‥‥パウチタイプ容器
５１‥‥取っ手孔
５２‥‥注出口栓
ａ‥‥スリット
ｂ‥‥折り曲げ線
ｃ‥‥折り曲げ線
ｄ‥‥折り曲げ線
ｅ‥‥切り込み線
ｆ‥‥横方向の折り曲げ線
ｈ‥‥折り曲げ線
ｉ‥‥折り曲げ線
ｊ‥‥切断線
ｋ‥‥ミシン目状の切り込み線
【図１】
2006335423.tif 000003
【図２】
2006335423.tif 000004
【図３】
2006335423.tif 000005
【図４】
2006335423.tif 000006